(57)【特許請求の範囲】
【請求項１】
撮影時に、発光量の選択的設定を可能とする発光量設定手段を備えた複数の照明手段を発光させる撮影装置であって、
前記各照明手段により照明された対象物を測光する測光手段と、
前記複数の照明手段を本発光に先立って順次、選択的設定を行うことにより所定発光量で予備発光させ、これら予備発光時の前記測光手段による測光結果と設定されている撮影条件とに基づいて、前記複数の照明手段を用いた本発光による撮影時の目標撮影光量を演算するとともに、この演算された目標撮影光量と前記各照明手段において前記発光量設定手段によりそれぞれ設定された発光量の和としての本発光量で撮影するときの設定撮影光量との差を演算する演算手段と、
前記演算手段により演算された前記目標撮影光量と前記設定撮影光量との差を表示する表示手段とを有することを特徴とする撮影装置。
【請求項２】
前記表示手段は、前記各照明手段の本発光に伴う撮影光量と前記目標撮影光量との差をそれぞれ表示することを特徴とする請求項１に記載の撮影装置。
【請求項３】
撮影時に、発光量の選択的設定を可能とする発光量設定手段を備えた複数の照明手段を発光させる撮影装置であって、
前記各照明手段により照明された対象物を測光する測光手段と、
前記複数の照明手段を本発光に先立って順次、選択的設定を行うことにより所定発光量で予備発光させ、これら予備発光時の前記測光手段による測光結果と設定されている撮影条件とに基づいて、前記複数の照明手段を用いた本発光時の目標発光量を演算するとともに、この演算された目標発光量と前記発光量設定手段により設定された前記各照明手段の本発光時の発光量の和との差を演算する演算手段と、
前記演算手段により演算された前記目標発光量と前記設定された本発光時の発光量の和との差を表示する表示手段とを有することを特徴とする撮影装置。
【請求項４】
前記表示手段は、前記各照明手段において設定された本発光時の発光量と前記目標発光量との差をそれぞれ表示することを特徴とする請求項３に記載の撮影装置。
【請求項５】
請求項１から４のいずれか１つに記載の撮影装置と、この撮影装置に装着される複数の照明手段とを有することを特徴とする撮影システム。
【発明の詳細な説明】
【０００１】
【発明の属する技術分野】
本発明は、被写体に向けてストロボに予備発光を行わせ、撮影前に適正露出を得るための発光量演算を行う撮影装置に関するものである。
【０００２】
【従来の技術】
被写体に向けて予備発光を行い、本発光に先だって被写体の適正露出の可否を判断可能な撮影システムとして、特許第２８２３２４８号公報にて開示されているものがある。このものでは、設定された撮影条件下で予備発光により得られた測光データに基づいて過剰露出量を演算して出力するものである。
【０００３】
また、本出願人が先に提案した特開平９−６１９０９号公報に記載されているものでは、本発光に先だって被写体に対して所定光量で予備発光を行い、適正光量で撮影が可能かどうかを表示する。
【０００４】
【発明が解決しようとする課題】
しかしながら、上記特許第２８２３２４８号公報にて開示の撮影装置では、撮影時と同じ条件（光量）でストロボを予備発光させて測光および演算を行うので、被写体が遠い場合や、被写界深度を深くするために絞り込んだ場合などでは、ストロボが大光量で発光してしまうために、エネルギーのロスが大きく、充電が完了するまでに時間がかかるために速写性にも問題が生じる。
【０００５】
また、上記特開平９−６１９０９号公報にて提案のものでは、自動調光モードの場合は調光可否の判定が可能であるが、ストロボがマニュアル発光モードの場合は設定されたマニュアル発光量に対して、適正光量で撮影できるか否かの判別ができないという問題がある。
【０００６】
ここで、マニュアル発光によるストロボ撮影について説明する。図１７には、時計や宝石などの高反射物をストロボ撮影する場合の例を示している。
【０００７】
同図において、４００は撮影台、４０１は被写体である時計、４０２はストロボなどの光源、４０３はストロボ４０２の光をやわらかく拡散させるために用いられる半透明のトレーシングペーパー等のディフューザーである。
【０００８】
なお、ストロボ４０２は、不図示のカメラと接続コードで接続されてもよいし、本出願人が提案している特開２０００−８９３０６号公報に記載のワイヤレスストロボ制御システムで通信により制御してもよい。
【０００９】
同図に示した時計４０１のように表面が金属である被写体又はガラスや宝石のように光源の光を拡散せずに反射する被写体では、いわゆる自動調光では安定した露出を得ることができない。
【００１０】
これは、被写体４０１の向きや位置が少しでも変化すると、被写体４０１の表面で光源４０２の反射光が変化するために、安定した調光ができないためである。
【００１１】
そこで、このような被写体をストロボ撮影する場合は、通常は被写体４０１の近傍で入射光式のストロボメータを置き、撮影時と同じ光量でテスト発光を行い、露出を決めるのが一般的な方法である。したがって、カメラとストロボしか所有していないことが多い一般のユーザーにとっては、このような撮影は難しいものである。
【００１２】
本発明は、ストロボ発光量をユーザーが設定するマニュアル発光モード等において、専用のストロボメータを用いずに適正な発光量を容易に決定することが可能な撮影装置を提供することを目的としている。
【００１３】
また、本発明は、１又は複数の照明装置をカメラ本体側から通信により制御できるようにすることを目的としている。
【００１７】
【課題を解決するための手段】
本願第１の発明では、撮影時に、発光量の選択的設定を可能とする発光量設定手段を備えた照明手段を発光させる撮影装置において、各照明手段により照明された対象物を測光する測光手段と、複数の照明手段を本発光に先立って順次、選択的設定を行うことにより所定発光量で予備発光させ、これら予備発光時の測光手段による測光結果と設定されている撮影条件と基づいて、複数の照明手段を用いた本発光による撮影時の目標撮影光量を演算するとともに、この演算された目標撮影光量と各照明手段において各発光量設定手段により設定された発光量の和としての本発光量で撮影するときの設定撮影光量との差を演算する演算手段と、この演算手段により演算された目標撮影光量と設定撮影光量との差を表示する表示手段とを設けている。
【００１８】
また、本願第２の発明では、撮影時に、発光量の選択的設定を可能とする発光量設定手段を備えた複数の照明手段を発光させる撮影装置において、各照明手段により照明された対象物を測光する測光手段と、各照明手段を本発光に先立って順次、選択的設定を行うことにより所定発光量で予備発光させ、これら予備発光時の測光手段による測光結果と設定されている撮影条件とに基づいて、複数の照明手段を用いた本発光時の目標発光量を演算するとともに、この演算された目標発光量と発光量設定手段により設定された各照明手段の本発光時の発光量の和との差を演算する演算手段と、この演算手段により演算された目標発光量と上記設定された本発光時の発光量の和との差を表示する表示手段とを設けている。
【００１９】
すなわち、上記第１および第２の発明では、ストロボ等の複数の照明手段の予備発光による測光結果と絞り、シャッタ速度、光感度等の設定されている各種撮影条件とに基づいて演算した目標撮影光量（例えば、適正露光量）又は目標発光量に対して、撮影者がマニュアル設定した各照明手段の和の発光量（本発光量）で撮影を行ったとした場合の設定撮影光量又は設定本発光量がどの程度の差を有しているかをファインダー視野内等に表示することにより、撮影者にマニュアル設定したストロボ発光量や撮影条件の設定変更を促し、マニュアルストロボ撮影時においてもストロボメータを用いることなく容易に適正露光を得ることを可能にしている。
【００２２】
【発明の実施の形態】
（第１実施形態）
図１には、本発明の第１実施形態である１眼レフレックスカメラ（撮影装置）とこのカメラに装着されたストロボ（照明手段、照明装置）とからなるストロボ撮影システムの主として光学的な構成を示している。
【００２３】
１はカメラ本体であり、その前面には撮影レンズ１１が装着される。カメラ本体１内には光学部品、機械部品、電気回路およびフィルム又はＣＣＤ等の撮像素子などが収納され、写真又は画像撮影が行えるようになっている。
【００２４】
２は主ミラーであり、ファインダー観察状態では撮影光路内に斜設され、撮影状態では撮影光路外に退避する。また、主ミラー２はハーフミラーとなっており、撮影光路内に斜設されているときは、後述する焦点検出光学系に被写体からの光線の約半分を透過させる。
【００２５】
３はファインダー光学系を構成する、撮影レンズ１２〜１４の予定結像面に配置されたピント板であり、４はファインダー光路変更用のペンタプリズムである。
【００２６】
５はアイピースであり、撮影者はこの窓からピント板３を観察することで、撮影画面を観察することができる。
【００２７】
６，７はファインダー観察画面内の被写体輝度を測定するための結像レンズと測光センサであり、結像レンズ６はペンタプリズム４内の反射光路を介してピント板３と測光センサー７とを共役に関係付けている。
【００２８】
８はフォーカルプレーンシャッタである。９は感光部材であり、銀塩フィルム又はＣＣＤ等の撮像素子が用いられる、
２５はサブミラーであり、主ミラー２とともに、ファインダー観察状態では撮影光路内に斜設され、撮影状態では撮影光路外に退避する。このサブミラー２５は、斜設された主ミラー２を透過した光線を下方に折り曲げて、焦点検出ユニット２６の方に導く。
【００２９】
焦点検出ユニット２６は、２次結像ミラー２７、２次結像レンズ２８、焦点検出ラインセンサ２９等から構成されている。２次結像ミラー２７および２次結像レンズ２８は焦点検出光学系を構成しており、撮影レンズ１１の２次結像面を焦点検出ラインセンサ２９上に形成している。
【００３０】
焦点検出ユニット２６は、いわゆる位相差検出法によって撮影レンズ１１の焦点調節状態を検出し、その検出結果は撮影レンズの焦点調節機構を制御する自動焦点検出装置に送られる。
【００３１】
１０はカメラ本体１と撮影レンズ１１との通信インターフェイスとなるマウント接点群である。１２〜１４はレンズである。１群レンズ１２は光軸上を前後に移動することで、撮影画面のピント位置を調整する。２群レンズ１３は光軸上を前後に移動することで撮影レンズ１１の焦点距離を変更し、撮影画面の変倍を行う。１４は固定の３群レンズであり、１５は絞りである。
【００３２】
１６は１群レンズ１２を光軸方向に移動させるフォーカス駆動モータであり、自動焦点調節動作により１群レンズ１２を前後に移動させる。１７は絞り駆動モータであり、絞り１５の開口径を変化させるようこれを駆動する。
【００３３】
１８は外付けタイプのストロボであり、カメラ本体１に装着され、カメラ本体１からの信号に従って発光制御を行うものである。
【００３４】
１９はキセノン管であり、電流エネルギーを発光エネルギーに変換する。２０，２１は反射板とフレネルレンズであり、それぞれ発光エネルギーを効率良く被写体に向けて集光する役目を持つ。
【００３５】
２２はカメラ本体１とストロボ１８との通信インターフェイスとなるストロボ接点群である。
【００３６】
３０はグラスファイバーであり、キセノン管１９の発光量をモニタするために、キセノン管１９から発光した光の一部をフォトダイオード等の第１の受光素子３１に導く。これにより、ストロボ１８の予備発光および本発光の光量をモニタすることができる。
【００３７】
３２はキセノン管１９が発光した光をモニタするためのフォトダイオード等の第２の受光素子である。この第２の受光素子３２の出力により、キセノン管１９の発光電流を制限してフラット発光の制御を行う。
【００３８】
２０ａ，２０ｂは、反射笠２０と一体となったライトガイドであり、受光素子３２又はファイバー３０にキセノン管１９からの光の一部を反射して導く。
【００３９】
次に、図２を用いて、上記ストロボ撮影システムの電気回路構成を説明する。なお、図１と共通の構成要素には同じ符号を付している。
【００４０】
まず、カメラ本体１内の電気回路構成について説明する。カメラマイコン（演算手段、制御手段）１００は、発振器１０１で生成されるクロック信号をもとに動作する。カメラマイコン１００には、焦点検出回路１０５、測光回路１０６、シャッタ制御回路１０７、モータ制御回路１０８、スイッチセンス回路１１０および液晶表示回路１１１が接続されている。また、撮影レンズ１１内に配置されたレンズ制御回路１１２とは、マウント接点１０を介して信号伝達を行い、ストロボ１８内に設けられたストロボマイコン２００とはストロボ接点群２２を介して信号伝達を行う。
【００４１】
焦点検出回路１０５は、カメラマイコン１００からの信号に従って測距素子であるＣＣＤラインセンサ２９の蓄積制御と読み出し制御を行い、それぞれの画素情報をカメラマイコン１００に出力する。カメラマイコン１００はこの情報をＡ／Ｄ変換し、位相差検出法による焦点調節状態の検出を行う。そして、カメラマイコン１００は、レンズマイコン１１２と信号のやりとりを行うことによって、撮影レンズ１１の焦点調節制御を行う。
【００４２】
測光回路１０６は被写体の輝度信号として、測光センサ７からの出力をカメラマイコン１００に出力する。測光回路１０６は、被写体に向けてストロボ光を予備発光していない定常状態と予備発光している状態との双方の状態で輝度信号を出力し、カメラマイコン１００は輝度信号をＡ／Ｄ変換し、撮影の露出調節のための絞り値およびシャッタ速度の演算と、露光時のストロボ本発光量の演算とを行う。
【００４３】
シャッタ制御回路１０７は、カメラマイコン１００からの信号に従ってフォーカルプレンシャッタ８を構成するシャッタ先幕駆動マグネットＭＧ−１およびシャッタ後幕駆動マグネットＭＧ−２の通電制御を行い、先幕および後幕を走行させ、露出動作を行う。
【００４４】
モータ制御回路１０８は、カメラマイコン１００からの信号に従ってモータを制御することにより、主ミラー２のアップダウンおよびシャッタチャージなどを行う。
【００４５】
フィルム走行検知回路１０９は、銀塩カメラの場合のフィルム給送時にフィルムが１駒分巻き上げられたか否かを検知し、カメラマイコン１００に信号を送る。なお、撮像素子で撮像を行うデジタルカメラの場合は、このフィルム走行検知回路１０９は設けられない。
【００４６】
ＳＷ１は不図示のレリーズボタンの第１ストローク（半押し）操作でＯＮし、測光、ＡＦ（自動焦点調節）を開始させるスイッチである。ＳＷ２はレリーズボタンの第２ストローク（全押し）操作でＯＮし、シャッタ走行、すなわち露光動作を開始させるスイッチである。
【００４７】
ＳＷＦＥＬＫは、後述する予備発光を独立して行わせるスイッチである。ＳＷ１，ＳＷ２，ＳＷＦＥＬＫおよびその他不図示の操作部材である感材感度設定スイッチ、絞り設定スイッチ、シャッタ速度設定スイッチなどの各スイッチの信号は、スイッチセンス回路１１０により検知され、カメラマイコン１００に送られる。
【００４８】
液晶表示回路１１１は、ファインダー内表示器２４とモニター用外部表示器４２をカメラマイコン１００からの信号に従って制御する。
【００４９】
次に、撮影レンズ１１内の電気回路構成について説明する。カメラ本体１と撮影レンズ１１とはレンズマウント接点１０を介して相互に電気的に接続される。このレンズマウント接点１０は、撮影レンズ１１内のフォーカス駆動用モータ１６および絞り駆動用モータ１７の電源用接点である接点Ｌ０と、レンズマイコン１１２の電源用接点Ｌ１と、シリアルデータ通信を行うためのクロック用接点Ｌ２と、カメラ本体１から撮影レンズ１１へのデータ送信用接点Ｌ３と、撮影レンズ１１からカメラ本体１へのデータ送信用接点Ｌ４と、モータ用電源に対するモータ用グランド接点Ｌ５と、レンズマイコン１１２用電源に対するグランド接点Ｌ６とから構成されている。
【００５０】
レンズマイコン１１２は、これらのレンズマウント接点１０を介してカメラマイコン１００と接続され、カメラマイコン１００からの信号に応じて１群レンズ駆動モータ１６および絞りモータ１７を動作させ、撮影レンズ１１の焦点調節と絞りを制御する。３５，３６は光検出器とパルス板であり、レンズマイコン１１２がパルス数をカウントすることにより１群レンズ１２の位置情報を得る。これにより、撮影レンズ１１の焦点調節を行うことができる。
【００５１】
次に、ストロボ１８の構成について、図３を用いて説明する。２０１は電源電池である。２０２はＤＣ−ＤＣコンバータであり、電池電圧を数１００Ｖに昇圧する。
【００５２】
２０３は発光エネルギーを蓄積するメインコンデンサである。２０４，２０５は抵抗であり、メインコンデンサ２０３の電圧を所定比に分圧する。
【００５３】
２０６は発光電流を制限するためのコイル、２０７は発光停止時に発生する逆起電圧を吸収するためのダイオード、１９はＸｅ( キセノン) 管である。２１１はトリガ発生回路、２１２はＩＧＢＴなどの発光制御回路である。
【００５４】
２３０はデータセレクタであり、Ｙ０，Ｙ１の２入力の組み合わせにより、Ｄ０，Ｄ１，Ｄ２を選択してＹに出力する。２３１はフラット発光の発光レベル制御用のコンパレータ、２３２は閃光発光時の発光量制御用のコンパレータである。
【００５５】
３２はフラット発光制御用の受光センサであるフォトダイオードであり、Ｘｅ管１９の光出力をモニタする。２３４はフォトダイオード３２に流れる微少電流を増幅すると共に光電流を電圧に変換する測光回路である。
【００５６】
３１は閃光発光制御用の受光センサであるフォトダイオードであり、Ｘｅ管１９の光出力をモニタする。２３６はフォトダイオード３１に流れる光電流を対数圧縮するとともにＸｅ管１９の発光量を圧縮積分するための積分測光回路である。
【００５７】
２３８はストロボ１８全体の動作を制御するストロボマイコン、２２はカメラ本体１との通信を行うためにホットシューに設けられた接点群である。
【００５８】
２４０はストロボ１８の動作状態を表示する表示器としての液晶ディスプレイ、２４１はストロボ１８のワイヤレス動作状態を設定するワイヤレスセレクタースイッチ、２４２はストロボ１８の電源オンオフを切り換えるための電源スイッチである。２４３はストロボ１８の充電完了を表示するＬＥＤ、２４４はストロボ１８が適正光量を発光したことを表示する調光表示ＬＥＤである。
【００５９】
２４５はモータ制御回路、２４６はカメラ本体１に装着された撮影レンズ１の焦点距離に応じてＸｅ管１９および反射笠２０を移動させ、照射角を設定するためのモータである。
【００６０】
２４７は液晶ディスプレイ２４０を照明するためのバックライト点灯スイッチ、２４８はストロボ１８の発光モードを選択するためのモードスイッチ、２４９は発光モードに付随したパラメータ（例えば、マニュアル発光時の発光量等）を選択するためのスイッチ、２５０は上記パラメータを増加させるためのアップスイッチ、２５１は上記パラメータを減少させるためのダウンスイッチである。これらスイッチ２４９〜２５１の出力はストロボマイコン２３８に入力され、ストロボマイコン２３８において上記スイッチ２４９〜２５１からの入力に応じたマニュアル発光時の発光量等が設定される。なお、スイッチ２４９〜２５１およびストロボマイコン２３８により発光量設定手段が構成される。
【００６１】
２５２は手動で発光照射角を設定するためのズームスイッチ、２５３，２５４，２５５は発光照射角（つまりはＸｅ管１９および反射笠２０の位置）を検出するエンコーダである。
【００６２】
２５６はワイヤレススレーブモード時にカメラ本体１側からの制御情報を受信するためのフォトダイオードであり、２５７はフォトダイオード２５６を流れる光電流を増幅し、電圧に変換する受光回路である。
【００６３】
次に、ストロボマイコン２３８の各端子について説明する。ＣＮＴはＤＣ／ＤＣコンバータ２の充電を制御する制御出力端子、ＬＣＤＳは液晶２４０を表示点灯するための配線群、ＣＯＭ１はスイッチ２４１のグランド電位に相当する制御出力端子、ＮＯＲＭはストロボ１８の動作状態が通常撮影状態（ワイヤレスモードではない）時に選択される入力端子、ＭＡＳＴＥＲはストロボの動作状態がワイヤレスマスターモード、すなわちホットシュー接点群２２を用いてカメラ本体１に接続され、ワイヤレススレーブストロボの動作を制御する状態である時に選択される入力端子である。
【００６４】
ＳＬＡＶＥはストロボ１８の動作状態がワイヤレススレーブモード、すなわちカメラ本体１から離れた位置にストロボ１８が設置され、マスターストロボからの発光制御光信号を受光素子２５６で受信し、ストロボ１８の発光を制御する状態である時に選択される入力端子である。
【００６５】
ＣＯＭ２はスイッチ２４２のグランド電位に相当する制御出力端子、ＯＦＦはストロボ１８が電源オフ時に選択される入力端子、ＯＮはストロボ１８が電源オン時に選択される入力端子、ＳＥはストロボ１８が所定時間の経過後に電源オフ状態になる時に選択される入力端子である。
【００６６】
ＣＬＫはカメラ本体１とのシリアル通信のための同期クロックの入力端子、ＤＯは同期クロックに同期して、ストロボ１８からカメラ本体１にシリアルデータを転送するためのシリアル出力端子、ＤＩは同期クロックに同期して、カメラ本体１からストロボ１８にシリアルデータを転送するためのシリアルデータ入力端子である。
【００６７】
Ｍ０，Ｍ１はモータドライバ２４５を制御するための出力端子、ＺＯＯＭ０，ＺＯＯＭ１，ＺＯＯＭ２は前述のズーム位置を示すエンコーダ２５３，２５４，２５５を入力する入力端子、ＣＯＭ０はズームエンコーダ等のグランド電位に相当する制御出力端子、ＺＯＯＭは前述のズーム位置設定スイッチ２５２の入力端子、ＤＯＷＮは前述の発光パラメータの減少スイッチ２５１の入力端子、ＵＰは前述の発光パラメータの増加スイッチ２５０の入力端子である。
【００６８】
ＳＥＬ／ＳＥＴは前述のデータ選択スイッチ２４９の入力端子、ＭＯＤＥは前述の発光モード選択スイッチ２４８の入力端子、ＬＩＧＨＴは前述の照明スイッチ２４７の入力端子、ＹＩＮはデータセレクタ２３０の出力状態検出のための入力端子である。
【００６９】
ＩＮＴは測光積分回路２３６の積分制御出力端子であり、ＡＤ０は測光積分回路２３６の発光量を示す積分電圧を読み込むためのＡ／Ｄ変換入力端子、ＤＡ０はコンパレータ２３１および２３２のコンパレート電圧を出力するためのＤ／Ａ出力端子である。
【００７０】
Ｙ０，Ｙ１は前述のデータセレクタ２３０の選択状態の出力端子であり、ＴＲＩＧは発光トリガの出力端子である。
【００７１】
図４には、ストロボ１８の外観構成を示している。各スイッチおよび表示等は図１と同じ符号を付しているので、説明は省略する。なお、２５８は前述のフォトダイオード２５６の受光窓であり、この中にフォトダイオード２５６が配置されている。
【００７２】
次に、本ストロボ撮影システムの動作について図５のフローチャートを用いて説明する。
【００７３】
ストロボ１８の電源スイッチ２４２を投入すると、ストロボマイコン２３８が動作を開始する。そして、設定スイッチ２４８が操作されることにより、ストロボ１８はマニュアル発光モードに設定される。
【００７４】
次に、アップスイッチ２５０またはダウンスイッチ２５１が操作されることにより、ストロボマイコン２３８においてマニュアル発光の発光量が設定される。このストロボ１８の設定状態は、ストロボ１８の背面に設けられた表示器２４０に表示される。
【００７５】
ここで、図６は、マニュアル発光モードに設定されたときの表示器２４０の表示例であり、３０１は設定されているモード（図では、マニュアルＭ）の表示部材、３０２はストロボ１８の照射角を表示する表示部材、３０３は設定されている発光量を表示する表示部材である。
【００７６】
［＃１００］
図２で示したカメラ本体１のスイッチＳＷＦＥＬＫがオンされると、カメラマイコン１００は、測光センサ７により定常光での被写体の輝度ＢＶａを測光する。
【００７７】
［＃１０１］
カメラマイコン１００は、測光した被写体輝度値ＢＶａより、周知のアルゴリズムより露出値（ＢＶｓ）を決定する。そして、設定されたカメラの撮影モードに従って、シャッタ速度の値（ＴＶ）と絞りの値（ＡＶ）とを決定する。
【００７８】
［＃１０２］
次に、カメラマイコン１００は、通信端子Ｓ０，Ｓ１，Ｓ２を通してシリアル通信によりストロボマイコン２３８に対して予備発光を指令する。ストロボマイコン２３８は、この予備発光指令を受けて、所定光量での予備発光動作を行う。
【００７９】
以下に予備発光動作について説明する。
【００８０】
＜予備（プリ）発光動作＞
ストロボマイコン２３８は、カメラ本体１より指示された所定発光レベルに応じて、ＤＡ０端子に所定の電圧を設定する。次に、ＳＥＬ１，ＳＥＬ０にＨｉ、Ｌｏを出力し、入力Ｄ２を選択する。このときＸｅ管１９はまだ発光していないので、受光素子３２の光電流はほとんど流れず、コンパレータ２３１の反転入力端子に入力されるモニタ回路２３４の出力が発生せず、コンパレータ２３１の出力はＨｉであるので、発光制御回路２１２は導通状態となる。
【００８１】
次に、ＴＲＩＧ端子よりトリガ信号を出力すると、トリガ回路２１１は高圧を発生したＸｅ管１９を励起し発光が開始される。
【００８２】
一方、ストロボマイコン２３８は、積分回路２３６に積分開始を指示し、積分回路２３２はモニタ回路２３６の出力、すなわち光量積分用の受光素子３１の対数圧縮された光電出力の積分を開始すると同時に、発光時間をカウントするタイマーを起動させる。
【００８３】
予備発光が開始されると、フラット発光の発光レベル制御用受光素子３２からの光電流が多くなり、モニタ回路２３４の出力が上昇する。そして、モニタ回路２３４の出力がコンパレータ２０５の非反転入力に設定されている所定のコンパレート電圧より高くなると、コンパレータ２３１の出力はＬｏに反転し、発光制御回路２１２はＸｅ管１９の発光電流を遮断する。これにより、放電ループが断たれるが、ダイオード２０９およびコイル２０６により環流ループを形成し、発光電流は回路の遅れによるオーバーシュートが収まった後、徐々に減少する。
【００８４】
発光電流の減少に伴い、発光レベルが低下するので、受光素子３２の光電流は減少し、モニタ回路２３４の出力も低下する。そして、所定のコンパレートレベル以下に低下すると、再びコンパレータ２３１の出力がＨｉに反転し、発光制御回路２１２が再度導通してＸｅ管１９の放電ループが形成され、発光電流が増加して発光レベルも増加する。
【００８５】
このように、ＤＡ０に設定された所定のコンパレート電圧を中心に、コンパレータ２３１は短い周期で発光レベルの増加減少を繰り返し、結果的には、所望するほぼ一定の発光レベルで発光を継続させるフラット発光の制御が行われる。
【００８６】
前述したタイマーのカウントにより所定の発光時間が経過すると、ストロボマイコン２３８はＳＥＬ１，ＳＥＬ０端子をＬｏ，Ｌｏに設定する。これにより、データセレクタ２０６の入力はＤ０、すなわちＬｏレベル入力が選択され、出力は強制的にＬｏレベルとなり、発光制御回路２１２はＸｅ管１９の放電ループを遮断する。これにより、予備発光（フラット発光）が終了する。
【００８７】
発光終了時に、ストロボマイコン２３８は、予備発光量を積分した積分回路２３６の出力をＡ／Ｄ入力端子ＡＤ０から読み込んでＡ／Ｄ変換し、積分値、すなわち予備発光時の発光量をディジタル値として読み取る。
【００８８】
［＃１０３］
予備発光による被写体反射光は、撮影レンズ１１を通して、カメラ本体１の測光センサ７で受光される。この測光センサ７の受光電流は測光回路１０８を介してカメラマイコン１００が読み取り、これによりストロボ反射光による被写体輝度ＢＶｆが測光される。
【００８９】
［＃１０４］
カメラマイコン１００は、予備発光時の被写体輝度ＢＶｆから＃１００で求めた自然光による被写体輝度ＢＶａを差し引く下記（１）式により、予備発光による反射光分のみの輝度値を抽出する。
【００９０】
ｄＦ＝ＬＮ２（２＾ＢＶｆ−２＾ＢＶａ）              …（１）
［＃１０５］
次に、＃１０４で求めた予備発光による反射光分のみの輝度値ｄｆから、予備発光に対して適正となる本発光の相対比γを下記（２）式から求める。
【００９１】
γ＝ＬＮ２（２＾ＢＶｓ−２＾ＢＶａ）−ｄＦ          …（２）
［＃１０６］
次に、カメラマイコン１００は、ストロボ１８から、設定されたマニュアル発光量のアペックス値ＧＶを取得する。このＧＶ値はストロボ１８では以下のように決定される。
【００９２】
例えば、設定された発光量が、フル発光の１／６４の発光量の場合は、
ＧＶ＝ＬＮ２（１／６４）＝−６
したがって、予備発光の発光量ＰＶがフル発光の１／３２の場合に予備発光と設定されたマニュアル発光量との光量差ＤＶは、
ＤＶ＝ＧＶ−ＰＶ            …（３）
となる（但し、ＰＶは予備発光量のアペックス値、ＧＶはマニュアル発光量のアペックス値である）。
【００９３】
［＃１０６］
次に、前述した（２）式で求められたγと、（３）式で求められたＤＶとの差を演算する。
【００９４】
Ｄｉｆ＝γ−ＤＶ
すなわち、このＤｉｆがストロボ撮影における目標撮影光量（適正露光量）との差分となる。
【００９５】
［＃１０７］
カメラマイコン１００は、＃１０６で求めた目標撮影光量との差Ｄｉｆをカメラ本体１のファインダー内表示器２４に表示させる。図７はこの表示の一例である。
【００９６】
すなわち、ファインダー横の表示器には、上下方向中央の目盛りが示す適正露光量（適正光量レベル）に対する現在の撮影条件（絞り、フィルム等の受光感度、ストロボ発光量等）での露光量（露光レベル）の差が表示される。これにより、撮影者は適正露光量に対する現在の撮影条件で撮影したとするときの露光量の過不足を認識することができる。
【００９７】
また、図８には、ストロボ背面の表示器２４０における表示例を示す。ファインダー内の表示と同様に、露光レベル表示器３０４には、左右方向中央の目盛りが示す適正露光量に対する現在の撮影条件での露光量の差が表示される。３０５は現在の撮影条件での適正光量が得られる距離（図では、４ｍ）を表示している。
【００９８】
［＃１０８］
ＳＷ２（レリーズＳＷ）がオンの場合は＃１０９に進み、オフの場合は＃１０５に戻る。
【００９９】
すなわち、一度予備発光を行えば、被写体距離を変えない限り、撮影者が絞りを変更したりストロボのマニュアル発光量を変更したりすることによって、ファインダー内またはストロボ背面に表示される現在設定されている露光量の適正光量との差が更新されるので、撮影者はこの表示を見ながら適正となるストロボ光量又は絞り値を設定することができる。
【０１００】
なお、この予備発光による露出の決定に関し、図１７で説明したような時計や宝石などの反射物を撮影する場合は、被写体そのもので露出を決めるのではなく、事前に反射率１８％の標準反射板を用いて測光することにより、一層安定した露出を得ることができる。
【０１０１】
［＃１０９］
ＳＷ２がオンになると、レリーズシーケンスが開始される。シャッタ速度が同調速度以下の場合は＃１１０に分岐し、同調速度より早い場合は＃１１１に分岐する。
【０１０２】
［＃１１０］
シャッタ速度が同調速度以下の場合は、カメラマイコン１００はストロボマイコン２３８に対して閃光発光モードを送信する。
【０１０３】
［＃１１１］
シャッタ速度が同調速度より速い場合は、カメラマイコン１００はストロボマイコン２３８に対してＦＰ発光モードとＦＰ発光時間とを送信する。このＦＰ発光時間は、シャッタ速度に幕速を加えたものである。
【０１０４】
［＃１１２］
主ミラー２を跳ね上げて撮影光路から退避させると同時に、カメラマイコン１００はレンズマイコン１１２に対して絞り３６の絞り込みを指示する。
【０１０５】
［＃１１３］
主ミラー２が撮影光路から完全に退避するのを待つ。
【０１０６】
［＃１１４］
主ミラー２が完全に跳ね上がると、カメラマイコン１００は先幕駆動マグネットＭＧ−１に通電し、フォーカルプレンシャッタ８の開放動作を開始させる。
【０１０７】
［＃１１５］
発光モードがＦＰ発光モードの場合は＃１１７に進み、閃光発光モードの場合は＃１１６に進む。
【０１０８】
［＃１１６］
閃光発光モードでは、フォーカルプレンシャッタ８の先幕が完全に開いて不図示のＸ接点がＯＮになるまで待ち、これがＯＮになると＃１１７に進む。
【０１０９】
［＃１１７］
カメラマイコン１００は発光モードに応じた本発光制御を行う。すなわち、ＦＰ発光モードの場合はストロボ１８にＦＰ発光制御を行い、閃光発光モードの場合は閃光発光制御を行う。
【０１１０】
＜閃光発光制御＞
カメラのシャッタ速度がストロボ同調速度以下の場合は閃光発光制御が行われる。ここでは、カメラマイコン１００は、まず設定されたマニュアル発光量に応じた制御電圧をストロボマイコン２３８のＤＡ０端子に出力する。この電圧は、前述の予備発光時に説明した積分回路２３６の出力電圧、すなわち積分電圧に対して、予備発光と本発光との光量差に相当する制御電圧を加算した電圧である。
【０１１１】
例えば、フル発光量の１／３２の光量で予備発光をした場合の積分電圧をＶ１としたときに本発光量が同じ１／３２の場合は、同じ積分電圧になった時に発光停止すればよいので、コンパレータ２３２のコンパレート電圧としてＶ１を設定する。
【０１１２】
同様にして、本発光量が１／１６の場合では、予備発光に対して１段分大きな積分電圧になったときに発光を停止すればよいので、予備発光時の積分電圧に１段分に相当する電圧を加算してコンパレータ３２３のコンパレート電圧として設定する。
【０１１３】
次に、カメラマイコン１００は、ストロボマイコン２３８のＹ１，Ｙ０端子に［０，１］を出力し、データセレクタ２３０のＤ１入力に接続された閃光発光制御用コンパレータ２３２を選択する。
【０１１４】
このときはＸｅ管１９はまだ発光していないので、フォトダイオード３１にはほとんど光電流が流れない。このため、積分回路２３６の出力は発生せず、コンパレータ２３２の−入力電圧は＋入力端子よりも電位が低い。したがって、コンパレータ２３２の出力電圧はハイレベルとなり、発光制御回路２１２は導通状態となる。
【０１１５】
また、これと同時にストロボマイコン２３８はＴＲＩＧ端子から所定時間の間、Ｈｉ信号を出力する。これにより、トリガ回路２１１は高圧のトリガ電圧を発生する。Ｘｅ管１８のトリガ電極に高圧が印加されると、Ｘｅ管１９は発光を開始する。
【０１１６】
Ｘｅ管１９が発光を開始すると、フォトダイオード３１に高電流が流れ、積分回路２３６の出力が上昇し、コンパレータ２３２の＋入力端子に設定された所定の電圧に達すると、コンパレータ２３２が反転し、その出力電圧はローレベルとなり、発光制御回路２１２は遮断状態となるので発光が停止される。
【０１１７】
この時点で、Ｘｅ管１９は所定の発光量を発生して発光を停止することになり、ストロボ撮影に必要な所望の光量が得られる。
【０１１８】
＜ＦＰ（フラット）発光制御＞
カメラのシャッタ速度がストロボ同調速度より速い場合はＦＰ発光制御が行われる。
【０１１９】
カメラマイコン１００は、設定されたマニュアルＦＰ発光量に応じた制御電圧をストロボマイコン２３８のＤＡ０端子に出力する。すなわち、前述の予備発光時にコンパレータ２３１のコンパレート電圧として設定した電圧に対して、予備発光と本発光との光量差に相当する制御電圧を加算した電圧である。
【０１２０】
例えば、フル発光の１／３２の発光で予備発光をした場合の制御電圧をＶ１としたときに、本発光が同じ１／３２発光の場合は、同じ制御電圧でＦＰ発光制御をすればよいので、コンパレータ２３２のコンパレート電圧としてＶ１を設定する。
【０１２１】
同様にして、本発光量が１／１６の場合では予備発光に対して１段分大きな制御電圧とすればよいので、予備発光時の積分電圧に１段分に相当する電圧を加算してコンパレータ２３１のコンパレート電圧として設定する。
【０１２２】
次に、カメラマイコン１００は、ストロボマイコン２３８のＹ１，Ｙ０端子に［１，０］を出力し、データセレクタ２３０のＤ１入力に接続された閃光発光制御用のコンパレータ２３１を選択する。この後、前述の予備発光動作と同一の動作でＦＰ発光が行われ、カメラマイコン１００から指示された所定時間が経過すると、カメラマイコン２３８のＹ１，Ｙ０端子を［０，０］に設定して発光処理を終了する。
【０１２３】
［＃１１８］
所定のシャッタ開放時間が経過すると、カメラマイコン１００は後幕駆動マグネットＭＧ−２に通電し、シャッタ８の後幕を閉じて露出を終了する。なお、＃１１７の発光モードがＦＰ発光の場合は、後幕が完全に閉じるまで発光が継続する。
【０１２４】
［＃１１９］
一連の撮影シーケンスが終了すると、主ミラー２をダウンさせ、撮影を終了する。
【０１２５】
以上説明したように、本実施形態によれば、予備発光による被写体の測光結果と設定されているストロボ発光量を含む撮影条件とに基づいてマニュアルストロボ撮影における適正露光量を演算し、この適正露光量に対するマニュアル設定されたストロボ本発光量で撮影したときの露光量の過不足を撮影前に確認することができるので、ストロボメータを用いなくても、適切な発光量のマニュアルストロボ撮影が可能となる。
【０１２６】
（第２実施形態）
図９および図１０には、本発明の第２実施形態であるストロボ撮影システムの構成を示している。本実施形態では、マニュアル発光モードに設定されたストロボが複数あり、それぞれのストロボの発光量を異ならせて発光させた場合でも適正な露光量を決定できるようにしたものである。
【０１２７】
図９には、カメラ本体１に装着されたマスターストロボＭＳと、カメラ本体１から離れた位置に設置されたもう１台のスレーブストロボＳＳＢとの２台のストロボを用いた撮影の例を示している。
【０１２８】
マスターストロボＭＳは、これ自体が被写体照明を行うとともに、微小発光により光信号を生成してスレーブストロボＳＳＢの制御も行う。以下、このようなモードをマスター発光モードと称する。スレーブストロボＳＳＢは、グループＢストロボとして、マスターストロボＭＳの制御情報を受信して発光モードや発光量を制御する。
【０１２９】
また、図１０には、カメラ本体１に装着されたマスターストロボＭＳはスレーブストロボ制御の制御信号のみを送信し、スレーブストロボＳＳＡおよびスレーブストロボＳＳＢはマスターストロボＭＳの制御情報を受信して発光モードや発光量を制御する。以下、このようなモードを制御専用モードと称する。
【０１３０】
スレーブストロボＳＳＡ，ＳＳＢはそれぞれ、グループＡおよびグループＢに設定されたスレーブストロボである。
【０１３１】
図９、図１０に示すいずれの例でも、マスターストロボＭＳはグループＡストロボとグループＢストロボの発光量を光情報の送信により直接設定できる。
【０１３２】
この光情報によるワイヤレスシステムは、本出願人が特開２０００−８９３０６号公報にて提案しているものと同様である。
【０１３３】
具体的には、マスターストロボＭＳを備えたカメラ本体１と、カメラ本体１から離れた位置に配置されたスレーブストロボＳＳＡ，ＳＳＢからなるストロボ撮影システムにおいて、カメラ本体１に、制御シャッター速度に応じて閃光発光とフラット発光の発光モードを選択させるとともに、発光モードを含むストロボ制御情報をスレーブストロボＳＳＡ，ＳＳＢにマスターストロボＭＳの発光による光通信により送信させる。一方、スレーブストロボＳＳＡ，ＳＳＢは、受信したストロボ制御情報に応じて、閃光発光モードまたはフラット発光モードで閃光発光する。
【０１３４】
これにより、カメラ本体１（マスターストロボＭＳ）は、シャッター同調速度に応じて、閃光発光とフラット発光を選択する情報を含むストロボ制御情報をワイヤレスでスレーブストロボＳＳＡ，ＳＳＢに指示することができ、スレーブストロボＳＳＡ，ＳＳＢはカメラ本体１からのストロボ制御情報に応じて閃光発光とフラット発光を選択して発光することができる。したがって、ワイヤレスモードにおいても、全てのシャッター速度にストロボが同調するストロボ撮影システムを実現することができる。
【０１３５】
また、ストロボＭＳ，ＳＳＡ，ＳＳＢのハードウェア構成は第１実施形態と同様であるので説明を省略する。
【０１３６】
次に、カメラマイコン１００およびストロボマイコン２３８の動作を説明する。図１１は、カメラマイコン１００およびストロボマイコン２３８の動作を示すフローチャートであり、図１２はカメラのシャッタ速度が同調秒時以下の場合に閃光発光を行う際のタイミングチャートであり、図１３はカメラのシャッタ速度が同調秒時より速い場合にＦＰ発光を行う際のタイミングチャートである。
【０１３７】
図１２および図１３において、Ａ）〜Ｃ）はカメラ本体−ストロボ間でシリアル通信を行うための信号である。Ａ）はカメラ本体１からストロボへのシリアル通信の同期クロック信号であり、Ｂ）はカメラ本体１からストロボへのデータ出力信号であり、Ｃ）はストロボからカメラ本体１へのデータ出力信号である。
【０１３８】
また、Ｄ）は主ミラー２の動作を示し、Ｅ）はシャッタ先幕の動作を示し、Ｆ）はシャッタ後幕の動作を示し、Ｇ）はカメラのＸ接点の導通を示し、Ｌｏレベルが導通状態を示す。
【０１３９】
Ｈ）およびＩ）はマスターストロボＭＳがＸｅ管１９をパルス的に断続発光させて発生するスレーブストロボへのワイヤレス光通信信号であり、Ｈ）はマスターストロボＭＳが撮影に寄与する発光は行わずに、スレーブストロボの動作を制御するためだけに発光する制御専用モードの場合のＸｅ管１９の発光を示す。Ｉ）はマスターストロボＭＳが撮影に寄与する発光もするマスター発光モードの場合のＸｅ管１９の発光を示す。
【０１４０】
また、Ｊ）は図１０に示すようにグループＡに設定されたスレーブストロボＳＳＡの発光を示し、Ｋ）はグループＢに設定されたスレーブストロボＳＳＢの発光を示している。
【０１４１】
図１１において、マスターストロボＭＳの電源スイッチ２４２が投入されると、ストロボマイコン２３８が動作を開始する。そして設定スイッチ２０８が操作されることにより、マスターストロボＭＳはマニュアル発光モードに設定される。さらに、アップスイッチ２５０またはダウンスイッチ２５１が操作されることにより、マニュアル発光の発光量が設定される。このストロボの設定状態は、ストロボ背面の表示器２４０に表示される。また、スレーブストロボＳＳＡやスレーブストロボＳＳＢの発光量はマスターストロボＭＳ側で設定が可能で、設定されたそれぞれの発光量は、表示器２４０に表示される。
【０１４２】
ここで、図１４（Ａ）はマスターストロボＭＳの液晶表示器２４０の表示例であり、同図（Ｂ）はスレーブストロボＳＳ（Ａ，Ｂ）の液晶表示器２４０の表示例である。なお、図５と同じ表示部材には同じ符号を付している。
【０１４３】
図１４（Ａ）において、３０３はグループＡストロボのマニュアル発光量である。図９のシステムでは、カメラ本体１に直結されたマスターストロボＭＳの発光量であり、図１０のシステムでは、グループＡのスレーブストロボＳＳＡの発光量である。
【０１４４】
また、３１０はグループＢストロボのマニュアル発光量であり、本例ではスレーブストロボＳＳＢのマニュアル発光量を示す。
【０１４５】
３１１はワイヤレス状態を示すアイコンであり、ストロボがマスター側となって他のストロボを制御するマスターモードの場合は、ストロボに対して外向きの矢印を示すことにより、視覚的に送信状態であることを示す。
【０１４６】
３１２は混信を防止するためのチャネル番号の表示部材であり、３１３はマスターストロボＭＳがレシオモード（多灯光量比設定モード）であることを示す表示部材である。３１４は光量比がＡ：Ｂ、すなわちグループＡとグループＢの２つのグループを制御するモードであることを示す表示部材である。
【０１４７】
一方、図１４（Ｂ）において、スレーブストロボがマスターストロボＭＳからの制御信号によって制御されるスレーブモードにあるときには、ワイヤレス状態を示すアイコン３１１はストロボに対して内向きの矢印を示すことにより、視覚的に受信状態であることを示す。３１５はストロボがスレーブモードに設定されていることを示すアイコンであり、表示部材３１４と共にスレーブモードのグループＢに設定されていることを示す。
【０１４８】
なお、ストロボにおいて、マスターモードとスレーブモードはストロボ背面のスイッチ２４１を切り換えることより任意に設定が可能である。
【０１４９】
［＃２００］
図２に示したカメラ本体１のスイッチＳＷＦＥＬＫがオンになると、カメラマイコン１００は、まず測光センサ７で被写体の輝度ＢＶａを測光する。
【０１５０】
［＃２０１］
カメラマイコン１００は、測光した被写体輝度値ＢＶａに基づいて周知のアルゴリズムによって露出値（ＢＶｓ）を決定する。そして、設定されたカメラの撮影モードに従って、シャッタ速度の値（ＴＶ）と絞り値（ＡＶ）とを決定する。
【０１５１】
［＃２０２］
次にカメラマイコン１００は、通信端子Ｓ０，Ｓ１，Ｓ２を通してシリアル通信によりストロボ（マスターストロボＭＳ）に対してグループＡストロボの予備発光を指令する（図１２，１３の時刻ｔ０）。
【０１５２】
マスターストロボＭＳのストロボマイコン２３８は、この予備発光指令を受けて、グループＡストロボの予備発光動作を行う。すなわち、時刻ｔ１およびｔ２の時点でＸｅ管１９をパルス的に発光させて、スレーブストロボが予備発光を行うための情報を光パルスとしてスレーブストロボに送信する（図１２，１３の（１）および（２））。なお、この通信に関しては、本出願人が特開２０００−８９３０６号公報にて提案しているので、詳細な説明は省略する。
【０１５３】
外部にスレーブストロボＳＳＡがある場合は、スレーブストロボＳＳＡはこの２バイトの光パルスを受光して、予備発光を行うための発光量と発光時間をデコードする。
【０１５４】
次に、時刻ｔ４にてグループＡストロボが予備発光を行う。この場合、マスターストロボＭＳがマスター発光モードに設定されている場合は、マスターストロボＭＳも予備発光を行い（図１２，１３の（４））、マスターストロボＭＳが制御専用モードに設定されている場合は、スレーブストロボＳＳＡが予備発光を開始するための光パルスの発光を行う（図１２，図１３の（３））。
【０１５５】
一方、スレーブストロボはこの光パルス（３）またはマスターストロボのＦＰ予備発光（４）の開始を検出して、自身も予備発光を開始する（図１２，１３の（５））。
【０１５６】
［＃２０３］
グループＡストロボの予備発光による被写体からの反射光は、撮影レンズ１１を通してカメラ本体１の測光センサ７で受光される。カメラマイコン１００はこの測光センサ７の受光電流を測光回路１０８を介して読み取り、ストロボ反射光による被写体輝度ＢＶｆを測光する。
【０１５７】
［＃２０４］
カメラマイコン１００は、下記式（４）を用いて予備発光時の被写体輝度ＢＶｆから＃２００で求めた自然光による被写体輝度ＢＶａを差し引くことにより、グループＡストロボによる予備発光の反射光分のみの輝度値ｄＦＡを抽出する。
【０１５８】
ｄＦＡ＝ＬＮ２（２＾ＢＶｆ−２＾ＢＶａ）        …（４）
［＃２０５］
次に、下記式（５）を用いて、予備発光の反射光分のみの輝度値ｄＦＡから、予備発光に対して適正となるグループＡの本発光の相対比γＡを求める。
【０１５９】
γＡ＝ＬＮ２（２＾ＢＶｓ−２＾ＢＶａ）−ｄＦＡ    …（５）
［＃２０６］
次に、カメラマイコン１００は、ストロボに対してグループＢストロボの予備発光を指令する（図１２，１３の時刻ｔ６）。
【０１６０】
マスターストロボのストロボマイコン２３８は、この予備発光指令を受けて、グループＢストロボの予備発光動作を行う。すなわち、ｔ７およびｔ８の時点でＸｅ管１９をパルス的に発光させて、スレーブストロボが予備発光を行うための情報を光パルスとしてスレーブストロボに送信する（図１２，１３の（６）および（７））。
【０１６１】
スレーブストロボＳＳＢはこの２バイトの光パルスを受光して、予備発光を行うための発光量と発光時間をデコードする。
【０１６２】
次に時刻ｔ１０にて、マスターストロボＭＳはスレーブストロボＳＳＢが予備発光を開始するための光パルスの発光を行う（図１２，図１３の（８）および（９））。
【０１６３】
一方、スレーブストロボＳＳＢはこの光パルスを検出して自身も予備発光を開始する（図１２，図１３の（１０））。
【０１６４】
［＃２０７］
このグループＢストロボの発光による被写体からの反射光は、撮影レンズ１１を通してカメラ本体１の測光センサ７で受光される。カメラマイコン１００は、この測光センサの受光電流を測光回路１０８を介して読み取り、ストロボ反射光による被写体輝度ＥＶｆＢを測光する。
【０１６５】
［＃２０８］
カメラマイコン１００は、＃２０４と同様にして、グループＢストロボによる予備発光の反射光分のみの輝度値ｄＦＢを抽出する。
【０１６６】
ｄＦＢ＝ＬＮ２（２＾ＢＶｆ−２＾ＢＶａ）            …（６）
［＃２０９］
次に、＃２０４と同様にして、予備発光に対して適正となるグループＢ本発光の相対比γＢｒを求める。
【０１６７】
γＢ＝ＬＮ２（２＾ＢＶｓ−２＾ＢＶａ）−ｄＦＢ          …（７）
［＃２１０］
次に、カメラマイコン１００はグループＡストロボのマニュアル発光量のアペックス値ＧＶＡおよびグループＢストロボのマニュアル発光量のアペックス値ＧＶＢを取得する。このＧＶＡおよびＧＶＢは以下のようにして求める。
【０１６８】
例えば、設定されたグループＡストロボの発光量が、フル発光の１／６４の発光量の場合は、
ＧＶＡ＝ＬＮ２（１／６４）＝−６
同様に、設定されたグループＢストロボの発光量が、フル発光の１／１２８の発光量の場合は、
ＧＶＢ＝ＬＮ２（１／１２８）＝−７
したがって、グループＡおよびグループＢの予備発光の発光量ＰＶＡおよびＰＶＢがそれぞれフル発光の１／３２の場合には、設定されたマニュアル発光量との光量差ＤＶＡおよびＤＶＢは、
ＤＶＡ＝ＧＶＡ−ＰＶＡ        …（８）
ＤＶＢ＝ＧＶＢ−ＰＶＢ        …（９）
となる（但し、ＰＶＡはグループＡストロボの予備発光量のアペックス値、ＰＶＢはグループＢストロボの予備発光量のアペックス値、ＧＶＡはグループＡストロボのマニュアル発光量のアペックス値、ＧＶＢはグループＢストロボのマニュアル発光量のアペックス値である）。
【０１６９】
［＃２１１］
次に、前述した（５）式および（７）式のγＡおよびγＢと、（８）式および（９）式で求められたＤＶＡおよびＤＶＢの差をそれぞれ下記式（１０），（１１）を用いて演算する。
【０１７０】
ＤｉｆＡ＝γＡ−ＤＶＡ            …（１０）
ＤｉｆＢ＝γＢ−ＤＶＢ            …（１１）
そして、（１０）式および（１１）式により、合成された最終的な適正光量との差ＤｉｆＡＢは以下の式で求められる。
【０１７１】
ＤｉｆＡＢ＝ＬＮ２（２＾ＤｉｆＡ＋２＾ＤｉｆＢ）
すなわち、このＤｉｆＡＢがグループＡストロボおよびグループＢストロボの加算された光量と適正光量との差分となる。
【０１７２】
［＃２１２］
＃２１１で求めた適正光量との差ＤｉｆＡＢを、カメラ本体１のファインダー内表示器２４に表示する。図１５には、この表示の一例を示している。
【０１７３】
すなわち、ファインダー横の表示器には、上下方向中央の目盛りで示される適正光量に対する現在の撮影条件（絞り、感度、ストロボ発光量等）の差、つまりは露光量の過不足が表示される。
【０１７４】
なお、図１５では、グループＡおよびグループＢの加算した露光量しか表示していないが、図１６では、グループＡおよびグループＢそれぞれの適正光量に対する差と、グループＡおよびグループＢを加算した適正光量との差を表示している。
【０１７５】
また、これらの表示は第１実施形態と同様に、マスターストロボＭＳの背面の液晶に表示してもよい。
【０１７６】
［＃２１３］
ＳＷ２（レリーズＳＷ）がオンになると＃２１４に進み、オフの場合は＃２１０に戻る。
【０１７７】
すなわち、一度予備発光を行えば、被写体距離を変えない限り、撮影者が絞りを変更したりストロボのマニュアル発光量を変更したりすることによって、ファインダー内またはストロボ背面に表示される現在設定されている露光量の適正光量との差が更新されるので、撮影者はこの表示を見ながら適正となるストロボ光量又は絞り値を設定することができる。
【０１７８】
なお、この予備発光による露出の決定に関し、図１７で説明したような時計や宝石などの反射物を撮影する場合は、被写体そのもので露出を決めるのではなく、事前に反射率１８％の標準反射板を用いて測光することにより、一層安定した露出を得ることができる。
【０１７９】
［＃２１４］
ＳＷ２が押されると、カメラマイコン１００は、レリーズシーケンスを開始する。シャッタ速度が同調速度以下の場合は＃２１５に進み、同調スピードより速い場合は＃２１６に進む。
【０１８０】
［＃２１５］
シャッタ速度が同調速度以下の場合は、カメラはストロボに対して閃光発光モードを送信する。
【０１８１】
［＃２１６］
シャッタ速度が同調速度より速い場合は、カメラはストロボに対してＦＰ発光モードとＦＰ発光時間を送信する。このＦＰ発光時間は、シャッタ速度に幕速を加えたものである。
【０１８２】
［＃２１７］
マスターストロボＭＳは、スレーブストロボに対して発光モード（閃光発光モード、ＦＰ発光モード）と、各グループの発光量と、ＦＰ発光の場合には発光時間とを送信する（図１２，図１３の（１１）、（１２）、（１３））。
【０１８３】
［＃２１８］
主ミラー２を跳ね上げて撮影光路から退避させると同時に、撮影レンズ１１に対して絞り３６の絞り込みを指示する（図１２，１３の時刻ｔ１３）。
【０１８４】
［＃２１９］
主ミラー２が光路から完全に退避するのを待つ。
【０１８５】
［＃２２０］
主ミラー２が完全に跳ね上がると、カメラマイコン１００は、先幕駆動マグネットＭＧ−１に通電し、フォーカルプレンシャッタ８を開放を開始させる（図１２，１３の時刻ｔ１７）。
【０１８６】
［＃２２１］
発光モードがＦＰ発光モードの場合は＃２２３に進み、閃光発光モードの場合は＃２２２に進む。
【０１８７】
［＃２２２］
閃光発光モードの場合は、カメラ本体１において先幕が完全に開き、Ｘ接点がＯＮになるまで待ち、ＯＮになると＃１１７に進んで閃光発光を開始する。
【０１８８】
［＃２２３］
カメラマイコン１００は、発光モードに応じた本発光制御を行う（閃光発光モードの場合は図１２の時刻ｔ１８、ＦＰ発光モードの場合は図１３の時刻ｔ１７）。
【０１８９】
一方、スレーブストロボＳＳＡ，ＳＳＢのストロボマイコン２３８では、マスターストロボＭＳから送信された光信号を＃２１７で受信した発光モード、発光時間、発光量に応じてスレーブ発光を開始する。
【０１９０】
なお、閃光発光モード、ＦＰ発光モードでの本発光処理は第１実施形態で説明したのと同じであるので説明を省略する。
【０１９１】
［＃２２４］
所定のシャッタ開放時間が経過すると、カメラマイコン１００は後幕通電マグネットＭＧ−２に通電し、シャッタの後幕が閉じさせて露出を終了する（閃光発光モードの場合は図１２の時刻ｔ１９、ＦＰ発光モードの場合は図１３の時刻ｔ１９）。
【０１９２】
［＃２２５］
一連の撮影シーケンスが終了すると、カメラマイコン１００は主ミラー２をダウンさせ、撮影を終了させる。
【０１９３】
以上説明したように、本実施形態によれば、複数のマニュアル発光が可能なストロボを有するストロボ撮影システムにおいて、これら複数のストロボを順次、予備発光させ、それぞれの予備発光時の測光結果と設定されている撮影条件とに基づいてマニュアルストロボ撮影における適正露光量を演算し、この適正露光量に対するマニュアル設定されたストロボ本発光量で撮影したときの露光量の過不足を撮影前に確認することができるので、それぞれ独立して発光量が設定された複数のストロボを用いる場合でも、ストロボメータを用いることなく、適切な発光量のマニュアルストロボ撮影が可能となる。
【０１９４】
なお、本実施形態では、グループＡとグループＢの２つのグループをそれぞれ独立に発光量を制御した場合に関して説明したが、２つ以上のグループがある場合でも順次時系列で予備発光を行い、その反射光を測光し、それぞれ独立して設定された発光量からそれぞれのグループでの露出の過不足を演算し、それぞれの過不足量を＃２１１で示したように加算することにより、トータルの露出の過不足量を求めることができる。
【０１９５】
また、本実施形態では、カメラ本体１に装着したマスターストロボＭＳがＸｅ管を微小発光させてスレーブストロボの動作を制御する場合について説明したが、電波や赤外線等を使った同様の送信機能を持ったコントローラ（撮影装置に含まれる）にスレーブストロボの動作を制御させるようにしてもよい。
【０１９６】
さらに、上記第１および第２実施形態では、適正露光量と現在設定されている撮影条件下で撮影したとするときの露光量との差を表示する場合について説明したが、適正露光量を得るためのストロボの適正発光量（目標発光量）と現在設定されているストロボ発光量との差を表示するようにしてもよい。
【０１９８】
【発明の効果】
本願第１および第２の発明によれば、ストロボ等の複数の照明手段の予備発光による測光結果と絞り、シャッタ速度、光感度等の設定されている各種撮影条件とに基づいて演算した目標撮影光量（例えば、適正露光量）又は目標発光量に対して、撮影者がマニュアル設定した各照明手段の和の発光量（本発光量）で撮影を行ったとした場合の設定撮影光量又は設定本発光量がどの程度の差を有しているかをファインダー視野内等に表示するので、撮影者にマニュアル設定したストロボ発光量や撮影条件の設定変更を促し、マニュアルストロボ撮影時においてもストロボメータを用いることなく容易に適正露光を得ることができる。
【図面の簡単な説明】
【図１】本発明の第１実施形態であるストロボ撮影システムの横断面図。
【図２】上記第１実施形態であるストロボ撮影システムの電気回路ブロック図。
【図３】上記第１実施形態のストロボ撮影システムを構成するストロボの電気回路ブロック図。
【図４】上記第１実施形態のストロボの外観図。
【図５】上記第１実施形態のストロボ撮影システムを構成するカメラ本体の動作を示すフローチャート。
【図６】上記第１実施形態のストロボにおける背面表示器の表示例の表示例を示す図。
【図７】上記第１実施形態のカメラにおけるファインダー内表示器の表示例を示す図。
【図８】上記第１実施形態のカメラにおける外部表示器の表示例の表示例を示す図。
【図９】本発明の第２実施形態であるストロボ撮影システムの構成を示す図。
【図１０】上記第２実施形態であるストロボ撮影システムの別の構成を示す図。
【図１１】上記第２実施形態のカメラの動作を示すフローチャート。
【図１２】上記第２実施形態のカメラの動作を示すタイミングチャート。
【図１３】上記第２実施形態のカメラの動作を示すタイミングチャート。
【図１４】上記第２実施形態のストロボ撮影システムを構成するストロボの背面表示器の表示例を示す図。
【図１５】上記第２実施形態のストロボ撮影システムを構成するカメラ本体のファインダー内表示器の表示例を示す図。
【図１６】上記第２実施形態のストロボ撮影システムを構成するカメラ本体のファインダー内表示器の表示例を示す図。
【図１７】一般的なストロボの撮影例を説明する図。
【符号の説明】
１９  キセノン管
２４  ファインダー内表示器
４２  モニター用表示器
１００  カメラマイコン
１１２  レンズマイコン
２３６  ストロボマイコン
２４０  ストロボ背面表示器
２５７  ワイヤレス受光回路
２４８  ストロボ発光モード設定ＳＷ
２５０  パラメータアップスイッチ
２５１  パラメータダウンスイッチ
【図１】
0004040290.tif 000002
【図２】
0004040290.tif 000003
【図３】
0004040290.tif 000004
【図４】
0004040290.tif 000005
【図５】
0004040290.tif 000006
【図６】
0004040290.tif 000007
【図７】
0004040290.tif 000008
【図８】
0004040290.tif 000009
【図９】
0004040290.tif 000010
【図１０】
0004040290.tif 000011
【図１１】
0004040290.tif 000012
【図１２】
0004040290.tif 000013
【図１３】
0004040290.tif 000014
【図１４】
0004040290.tif 000015
【図１５】
0004040290.tif 000016
【図１６】
0004040290.tif 000017
【図１７】
0004040290.tif 000018